(57)【要約】【課題】患者の手および指の動きを抑制することができるうえ、通気性がよく、装着したままでリハビリが可能である手指抑制具を提供する。【解決手段】手指抑制具１００は、柔軟性を有する障害部２と、障害部２に接合されていて、使用者である患者の指ごとに設けられて各指にそれぞれ装着される指装着部１ａ〜１ｅと、を備え、指装着部１ａ〜１ｅが各指に装着された状態において、障害部２は各指の先端よりも外側に延伸するように形成されている。【選択図】図１
2019013282.tif 000002
【特許請求の範囲】
【請求項１】
柔軟性を有する障害部と、
前記障害部に接合されていて、使用者の指ごとに設けられて前記指に装着される指装着部と、を備え、
前記指装着部が前記指に装着された状態において、前記障害部は前記指の先端よりも外側に延伸するように形成されている、手指抑制具。
【請求項２】
前記障害部は布状であり、互いに隣接する前記指同士の間にも形成され、
前記指装着部は、前記障害部の一方の主面に接合されて、それぞれ前記指を覆うように前記指に装着される、請求項１記載の手指抑制具。
【請求項３】
前記指装着部と一体形成される、使用者の手のうち前記指以外の部分を覆う手装着部を有し、
前記指装着部および前記手装着部は、前記指を含む使用者の手全体を覆う手袋を構成し、
前記障害部の一方の主面に前記手袋の手の平側が縫い付けられている、請求項２記載の手指抑制具。
【請求項４】
前記指装着部のそれぞれには、前記指装着部が前記指に装着された状態において使用者の手首に結ばれる紐状部が設けられ、
前記紐状部は前記指装着部ごとに互いに異なる色が付されている、請求項１〜３のいずれか記載の手指抑制具。
【請求項５】
前記障害部は、前記指装着部が前記指に装着された状態において、少なくとも前記指の先端よりも外側に配置される肉厚部を有している、請求項１〜４のいずれか記載の手指抑制具。
【発明の詳細な説明】
【技術分野】
【０００１】
本発明は、治療等の目的で患者の体に接続されている医療器具を、患者がはずしてしまうことを抑制するための手指抑制具に関するものである。
【背景技術】
【０００２】
手術後あるいは治療中の患者には、薬や栄養剤等の薬剤を血管に注入するための点滴がなされたり、体内にチューブやカテーテルが挿入されることがある。これら点滴やチューブやカテーテルといった医療器具を、患者に接続する措置は、当該患者の治療のために必要であることから行われる。しかし、このような措置が、患者にとっては苦痛である場合も少なくない。
【０００３】
例えば、胃の内容物の吸引と減圧等のため、または、経口摂取困難な患者への栄養剤注入のために、患者の胃にチューブが挿入される場合がある。このような措置は患者のためになされるものであるが、鼻からチューブが挿入されている状態であることから、患者にとっては不快であり、苦痛でもある。
【０００４】
また、患者に点滴が施される場合もある。点滴は、患者の血管に薬剤等を注入するために行われるものであり、点滴が施された状態とは、点滴針が腕等の血管に挿入され、その点滴針にはチューブが接続されていて薬剤の入った容器等につながっている。そのため、腕にはチューブがつながっていることから、腕を動かす際に邪魔になり、患者が不快に感じる場合もある。また、腕を動かしにくいというだけでなく、自分の体がチューブに接続されているのはあまり気分のいいものではない。また、点滴針が抜けないように気を使うこととなり、苦痛でもある。
【０００５】
このように、点滴やカテーテル等の挿入等の措置は患者にとって不快であったり、苦痛を伴う場合がある。しかし、点滴やカテーテル等の挿入等の措置は、患者の治療に必要であることから行われるものであり、このような措置をとらなければ、患者の治療の妨げとなり、治癒の遅れや、場合によっては患者の生命が危険にさらされる可能性もある。
【０００６】
上述したように、点滴やカテーテル等の挿入等の措置は患者にとって必要ではあるが、患者にとって不快であったり、苦痛を伴う場合もあることから、患者は無意識に点滴やカテーテル等を外そうとする場合がある。また、無意識でなくとも、苦痛のあまりカテーテル等を引き抜く場合もある。仮に、胃に挿入されたチューブを患者が引き抜いた場合には再びチューブを胃に挿入することとなる。チューブを胃に挿入する作業は、口腔、食道および胃等に傷をつける可能性があり、何度もチューブを胃に挿入する作業は患者の体に負担となる。また、チューブを胃から抜く際にも口腔、食道および胃等に傷をつける可能性はある。したがって、チューブの挿入作業の回数を減らすことが好ましい。また、鼻に酸素チューブを装着している場合等患者の容体によっては、チューブが挿入されていない状態が続くと、よくない場合もある。このため、患者が勝手にチューブを引き抜くことがないようにすることが好ましい。
【０００７】
また、点滴についても、患者が勝手に取りはずすことは問題である。点滴がはずれると、本来は患者の血管に注入されるべき薬剤等が注入されないことから、患者の治療の妨げになるとの問題がある。また、点滴がはずれると、再び点滴針を血管に挿入しなければならないが、点滴針を刺すごとに血管は傷ついていくことから患者の体に負担になる。また、点滴針は刺さっているが血管からはずれた場合は血管外に薬剤等が注入されることから、その部分が腫れる場合もある。
【０００８】
そこで、患者が勝手に点滴やカテーテル等をはずさないように対策を講じる必要がある。病院の看護師は患者の状態を監視しており、定期的に病室に確認しには来るが、患者は複数おり、特定の患者を絶えず監視することは現実には不可能である。また、患者の家族が患者のそばに付き添って見張るようにしてもよいが、一日中患者のそばについて見張るというのは困難といえる。
【０００９】
そのため、患者が勝手に点滴やカテーテル等をはずさないように、患者の腕をベッドの柵等に紐で縛り付けて、患者の自由を奪うことが行われることがある。これにより、患者は腕を動かすことができないことから、点滴やカテーテル等をはずすことができないが、腕を縛られているにもかかわらず腕を動かそうとするために、ベッドの柵に縛られた紐で手首等が擦れて傷ができて出血する等、患者に新たな苦痛を強いることとなる。また、患者にとって苦痛であるだけでなく、このような患者の痛々しい姿を見ることは家族等にとっても苦痛である。
【００１０】
そこで、従来より、患者の腕をベッドに縛り付けずに、患者がチューブを引き抜くことができないように患者に装着する手袋が種々提供されている。
【００１１】
例えば、特許文献１に開示されている保護用手袋は、通気性のよいメッシュ地が２枚合わせで構成されている。手袋内には硬質プラスティック板が間挿されていることから、患者は手袋内で硬質プラスティック板に手のひらが平面的に押し付けられることとなり、手先、指の動きが制約されることとなる。また、手首部には、手袋内に挿入した手が抜け出るのを防止するために寸法調整が可能なバンドが設けられている。
【００１２】
また、例えば、特許文献２に開示されている手袋は、手の５本指各々を個別に収容する指部と、手のひら及び手の甲を収容する本体部と、把持部とを備え、各指の指先が把持部に接合され、本体部の手のひら側と把持部との間に空間が設けられた構成である。これにより、この手袋を装着すると、手指の動作が拘束される。また、本体部の手のひら側と把持部との間に空間が設けられていることから、通気性も確保されている。また、手首近傍にはベルトが設けられている。
【００１３】
また、例えば、特許文献３に開示されている手指抑制用手袋は、手を覆う軍手等手袋の手掌部に弾辱体を入れた大き目のグリップを一体的に縫い付けた構成である。これにより、この手袋を患者が装着させることで、患者の握る動作を制限することなく、物を掴むことを防止できる。
【先行技術文献】
【特許文献】
【００１４】
【特許文献１】実用新案登録３１８０６３３号公報
【特許文献２】実用新案登録３１７７６１０号公報
【特許文献３】特開２０００−３４２６１４号公報
【発明の概要】
【発明が解決しようとする課題】
【００１５】
しかし、特許文献１の手袋は、硬質プラスティックが間挿されていることから固く、患者が手を動かすことは、自らを傷つける可能性や、例えば介護者等の他人を傷つける可能性もあり、危険であるといえる。特に、患者は自らの顔に手を近づけることもあることから、手袋が目に触れて大けがをする可能性があるとの問題がある。
【００１６】
また、特許文献２の手袋は、布で構成されることから柔らかく、特許文献１の手袋のような問題は生じないといえる。ところで、患者は寝た状態が続くことから、手指を動かす機能が低下して、手を開いたり握ったりの動作が困難になる場合がある。このような場合は、患者以外の者が患者の指を強制的に動かす等のリハビリを行うことが望ましい。特に、このリハビリでは、指ごとに行うことが好ましい。しかし、特許文献２の手袋では、常時把持部を握るような形状であることから、手指の自由度は高いとはいえず、患者に手袋を装着した状態で、上記リハビリを行うことは困難であるため、リハビリの際には手袋をはずし、終わったら再び装着せねばならず、手間がかかるとの問題がある。また、本体部の手のひら側と把持部との間に空間が設けられた構成ではあるが、把持部と指先は接していることから、この部分については通気性が悪く汗をかきやすいとの問題もある。
【００１７】
また、特許文献３の手袋は、軍手であることから柔らかく、特許文献１の手袋のような問題は生じないといえるが、手掌部に弾辱体を入れた大き目のグリップが縫い付けられた構成であることから、通気性が悪く汗をかきやすいとの問題がある。
【００１８】
本発明は、上述の問題点に鑑みなされたものであり、患者の手および指の動きを抑制することができるうえ、通気性がよく、装着したままでリハビリが可能である手指抑制具を提供することを目的とする。
【課題を解決するための手段】
【００１９】
本発明の一態様に係る手指抑制具は、柔軟性を有する障害部と、前記障害部に接合されていて、使用者の指ごとに設けられて前記指に装着される指装着部と、を備え、前記指装着部が前記指に装着された状態において、前記障害部は前記指の先端よりも外側に延伸するように形成されていることを特徴とする。
【００２０】
このような手指抑制具によれば、患者である使用者が装着した状態において指の先端よりも外側に延伸するように柔軟性を有する障害部が配置されることから、使用者がチューブ等をつかもうとしても障害部が指とチューブ等との間に介在することとなる。これにより、障害部が邪魔をして、使用者はチューブ等をしっかりつかむことができず、使用者が自らに接続されたチューブ等を引き抜く等して勝手に取りはずすことを防止することができる。また、障害部は柔軟性を有することから、この手指抑制具を装着した状態で使用者が自らの体の一部を掻く等した場合にも、掻いた箇所が傷つく可能性が低い。さらに、指装着部は指ごとに装着されることから、各指は独立しており、例えば、介護者がリハビリのために使用者の指を強制的に動かす場合でも、指ごとに当該リハビリを行うことができるため、この手指抑制具を装着したままでもリハビリを十分に行うことができる。また、この手指抑制具は、簡素な構成であり、使用者の手の平等に厚みのある部材が位置することがないため、通気性が高いといえる。
【００２１】
また、上記手指抑制具において、前記障害部は布状であり、互いに隣接する前記指同士の間にも形成され、前記指装着部は、前記障害部の一方の主面に接合されて、それぞれ前記指を覆うように前記指に装着されることとしてもよい。
【００２２】
このような手指抑制具によれば、障害部は布状であることから柔軟性を有する平面体であり、使用者がチューブ等をつかもうとする際に、障害部は指とチューブ等との間に入り込むこととなる。そのため、使用者がチューブ等をつかんだとしても、障害部とともにつかむこととなり、チューブ等をしっかりつかむことはできず不安定な状態でつかむこととなる。これにより、使用者が手指抑制具を装着することにより、使用者が自らに接続されたチューブ等を引き抜く等して勝手に取りはずすことを防止することができる。障害部が布状であることから、例えば、障害部が折りたたまれて指とチューブ等との間に入り込む場合があるが、このように障害部が折りたたまれた形状を維持することは困難であり、特に不安定となる。また、障害部は柔軟性を有することから、何重かに折りたたまれた状態で指とチューブ等との間に介在する場合は、障害部の厚みが増大するが、普段はこのような状態でなく、障害部が折りたたまれているわけではないことから、通気性が低下することはない。また、このような手指抑制具によれば、指装着部ごとに別々の布状の障害部を取りつけるのではなく、１枚の布状の障害部にすべての指装着部を取り付けることで作製できることから、容易に作製することができる。そのため、製造コストを抑え製造時間も短縮することができる。
【００２３】
また、上記手指抑制具において、前記指装着部と一体形成される、使用者の手のうち前記指以外の部分を覆う手装着部を有し、前記指装着部および前記手装着部は、前記指を含む使用者の手全体を覆う手袋を構成し、前記障害部の一方の主面に前記手袋の手の平側が縫い付けられていることとしてもよい。
【００２４】
このような手指抑制具によれば、例えば市販の手袋の手の平側に一枚の布である障害部を縫い付けるだけで作製できることから、容易に製造できる。また、作製に必要な材料も容易に入手することができる。そのため、製造コストを抑えることができる。
【００２５】
また、上記手指抑制具において、前記指装着部のそれぞれには、前記指装着部が前記指に装着された状態において使用者の手首に結ばれる紐状部が設けられ、前記紐状部は前記指装着部ごとに互いに異なる色が付されていることとしてもよい。
【００２６】
このような手指抑制具によれば、紐状部により指装着部と使用者の手首とを結ぶことができることから、使用者が動いたとしても手指抑制具が容易にはずれることがない。また、紐状部を複数設けることにより、手指抑制具が使用者の手首に強固に装着されることとなり、よりはずれにくい。また、紐状部を指装着部ごとに異なる色としたことから、１つの指について複数で１組の紐状部を設けることとしても、紐状部を間違えて結ぶことを防止でき、指ごとに対応した紐状部を正しく結ぶことができる。
【００２７】
また、上記手指抑制具において、前記障害部は、前記指装着部が前記指に装着された状態において、少なくとも前記指の先端よりも外側に配置される肉厚部を有していることとしてもよい。
【００２８】
このような手指抑制具によれば、使用者が装着することにより、障害部において指の先端よりも外側に肉厚部が配置されることとなるため、使用者がチューブ等をつかもうとしても障害部が邪魔をして、チューブ等をしっかりとつかむことができない。これにより、使用者が手指抑制具を装着することにより、使用者が自らに接続されたチューブ等を引き抜く等して勝手に取りはずすことを防止することができる。また、肉厚部は使用者の手の平の全面に配置されるわけではないことから、通気性が低下することもない。
【発明の効果】
【００２９】
本発明によれば、使用者である患者の手および指の動きを抑制することができるうえ、通気性がよく、装着したままでリハビリが可能である手指抑制具を提供できるという効果を奏する。
【図面の簡単な説明】
【００３０】
【図１】本発明の実施形態１に係る手指抑制具の構成を示す平面図である。
【図２】本発明の実施形態１に係る手指抑制具の構成を示す底面図である。
【図３】本発明の実施形態２に係る手指抑制具の構成を示す平面図である。
【図４】本発明の実施形態２に係る手指抑制具の構成を示す底面図である。
【発明を実施するための形態】
【００３１】
本発明の実施形態に係る手指抑制具について以下に説明する。
【００３２】
（実施形態１）
本発明の実施形態１に係る手指抑制具の構成について図面を用いて説明する。図１は本発明の実施形態１に係る手指抑制具の構成を示す平面図である。また、図２は本発明の実施形態１に係る手指抑制具の構成を示す底面図である。
【００３３】
図１および図２に示すように、手指抑制具１００は、指装着部１ａ〜１ｅおよび手装着部３から構成される手袋４と、布製の障害部２と、指ごとに設けられる紐状部５ａ〜５ｅと、を備える。
【００３４】
手袋４は例えば軍手であり、いわゆるミトンタイプではなく、指ごとに分かれた５本指タイプのものである。手袋４のうち、各指を覆うように装着される部分が指装着部１ａ〜１ｅである。指装着部１ａは親指を覆うものであり、指装着部１ｂは人差し指を覆うものであり、指装着部１ｃは中指を覆うものであり、指装着部１ｄは薬指を覆うものであり、指装着部１ｅは小指を覆うものである。
【００３５】
手袋４のうち、手の指以外の部分を覆う部分が手装着部３である。手装着部３は、指装着部１ａ〜１ｅと接続されていて、上述したように手装着部３および指装着部１ａ〜１eが一体となって手袋４を形成している。具体的には、使用者である患者の手に手袋４を装着した際に患者の手は手袋４に入り込み、患者の各指は指装着部１ａ〜１ｅのそれぞれに挿入され、患者の指以外の部分は手装着部３に覆われた状態となる。手袋４は布製とすればよく、その材質は特に限定されるものでなく、木綿、ナイロン、ポリエステルやその他の繊維とすればよいが通気性の良いものが好ましい。
【００３６】
障害部２は柔軟性を有する材料により形成されていればよい。また、布状であることが好ましく、例えば、木綿、ナイロン、ポリエステルやその他の繊維により形成されていることが好ましい。障害部２としては、例えば木綿等の布を用いてもよいし、タオルや雑巾等のように加工した布製品を用いてもよい。なお、障害部２は一枚の布とすればよいが、複数の布により構成されていてもよい。また、障害部２は、複数の布を重ねて縫い合わせて１体としたものでもよい。
【００３７】
一枚の布である障害部２の一方の主面２ａが手袋４の手の平側に縫い付けられて接合されている。障害部２は手袋４よりも広い面積を有しており、指装着部１ａ〜１ｅよりも外側に広がっている。特に、障害部２は、指装着部１ａ〜１ｅの先端部６ａ〜６ｅよりもさらに先の方向に延伸するように形成されている。つまり、患者の手に手袋４を装着した際、すなわち手指抑制具１００が患者に装着された状態において、障害部２は患者の指よりも外側に延伸するように形成されている。
【００３８】
このように、手指抑制具１００を患者に装着した状態において、障害部２が患者の指よりも外側に延伸するように形成されていることから、手指抑制具１００を装着した患者は、チューブ等の自らに装着されている医療機器等をうまくつかむことができない。具体的には、障害部２が指（指装着部１ａ〜１ｅ）とチューブ等との間に介在することとなり、患者は障害部２に邪魔されて、きちんとチューブ等をつかむことができない。このため、患者が勝手にチューブ等をはずすことを抑制することができる。
【００３９】
障害部２は柔軟性を有することから、その形状が容易に変化する。そして、患者の指の先端すなわち指装着部１ａ〜１ｅの先端部６ａ〜６ｅよりも先に障害部２が延伸していることから、患者が指でチューブ等をつかもうとするときに、障害部２が指（指装着部１ａ〜１ｅ）とチューブ等との間に介在することとなる。このため、患者は物をつかみにくくなる。特にチューブ等、細くて丸い形状のものはつかみにくい。
【００４０】
さらに、障害部２が布状であることが好ましい。ここで、布状とは、繊維を薄く広い板状に加工したものをいう。障害部２が布状であることにより、障害部２は容易に変形可能であり、形状が崩れやすい。このため、手指抑制具１００を装着した患者がチューブ等をつかむ場合に、障害部２が指とチューブ等との間に介在し、あたかも患者は指先に厚みのある不安定なものを装着した状態でチューブ等をつかむこととなる。このため、患者は安定してチューブ等をつかむことが困難となる。また、障害部２が布状であることから、患者がチューブ等をつかむ場合に、障害部２が指とチューブ等との間において折りたたまれるように介在する場合もある。このような状態の障害部２は容易に形状が崩れやすいことから、患者はチューブ等をしっかりつかむことが困難であり、不安定な状態でチューブ等をつかむこととなる。このように、手指抑制具１００を装着することにより、患者はチューブ等をつかむといった手指による作業が抑制されることとなり、患者が自らに接続されたチューブ等を引き抜くといった不具合を防止することができる。ここで、先端部６ａ〜６ｅから障害部２の端部までの長さは、患者が指でチューブ等をつかもうとするときに指とチューブ等との間に障害部２が介在して、チューブ等をつかみにくい長さとすればよく、特に限定されるわけではない。例えば、先端部６ａ〜６ｅから障害部２の端部までの長さを２ｃｍ以上、好ましくは５ｃｍ以上とすればよい。また、先端部６ａ〜６ｅから障害部２の端部までの長さがあまり長すぎると、障害部２が何かに引っ掛ったり、患者自身の身体の下に敷かれてしまう等の不具合が生じることとなることから、このような不具合が生じにくい長さとすることが好ましい。例えば、先端部６ａ〜６ｅから障害部２の端部までの長さは２０ｃｍ以下とすればよい。
【００４１】
紐状部５ａ〜５ｅは、患者の指ごとに設けられている。紐状部５ａは親指に設けられており、紐状部５ｂは人差し指に設けられており、紐状部５ｃは中指に設けられており、紐状部５ｄは薬指に設けられており、紐状部５ｅは小指に設けられている。これら紐状部５ａ〜５ｅは、それぞれ２本一組となって各指に設けられていて、紐状部５ａ〜５ｅを患者の手首に結わえ付けるのに十分な長さである。なお、２本一組の紐状部５ａ〜５ｅが各指に設けられていることとしたが、実際には、１本の紐の中心部付近を各指の指装着部１ａ〜１ｅに縫い付ける等して、紐状部５ａ〜５ｅを設ければよい。
【００４２】
各紐状部５ａ〜５ｅが２本一組の紐であることから、この２本の紐の両方あるいは一方のみを患者の手首に１回または複数回巻き付けたのちに２本の紐同士を結ぶことにより、手指抑制具１００が患者の手首に固定されることとなる。これにより、手指抑制具１００が患者の手から簡単にはずれてしまうことを防止できる。
【００４３】
なお、各紐状部５ａ〜５ｅは指ごとに設けることとしたが、すべての指ではなく一部の指にのみ設けることとしてもよい。各紐状部５ａ〜５ｅを設ける指が多ければ、手指抑制具１００がよりはずれにくくはなるが、手指抑制具１００の装着作業に手間がかかるうえ、手首に何重にも紐を巻かれることとなるため、患者にとっても負担となる可能性もある。そこで、手指抑制具１００が容易にはずれることを防止できるのであれば、すべての指に紐状部５ａ〜５ｅを設けなくてもよい。さらに紐の形状としては食い込みを防ぐために例えばりぼんのようにある程度幅広のものが好ましい。
【００４４】
また、各紐状部５ａ〜５ｅは指ごとに異なる色とすることが好ましい。それにより誤って異なる指の紐状部５ａ〜５ｅ同士を結ぶことを防止でき、同じ指に設けられた紐状部５ａ〜５ｅ同士を間違えずに確実に結ぶことができる。これにより、手指抑制具１００の装着作業が簡単になる。さらに、各紐状部５ａ〜５ｅはそれぞれ異なる色となることから、５つの色が含まれることとなり、患者の気分転換にもなる。特に紐状部５ａ〜５ｅのそれぞれを明るい色とすることが好ましい。
【００４５】
また、各紐状部５ａ〜５ｅは２本一組としなくてもよく、各指に対して１本の紐が設けられる構成としてもよい。例えば、各指に対して設けられた１本の紐である紐状部５ａ〜５ｅをそれぞれ患者の手首に巻きつけたのち、紐状部５ａ〜５ｅの全部または一部同士を結びつけることにより、手指抑制具１００が患者の手首に固定されることとしてもよい。なお、手指抑制具１００が患者の手首に固定されるのであれば、これら以外の方法であってもよく、各紐状部５ａ〜５ｅの構成も上述した構成以外であってもよい。
【００４６】
次に、手指抑制具１００の使用方法について説明する。手指抑制具１００は使用者である患者の両手にそれぞれ装着して使用するものである。なお、装着するにあたっては、例えば看護師や家族等の介護者が手助けする必要がある。患者は手装着部３の開口部３ａから手を挿入し、各指をそれぞれ対応する指装着部１ａ〜１ｅに挿入する。そして、介護者は各指の紐状部５ａ〜５ｅを患者の手首方向へと引っ張ることで、指装着部１ａ〜１ｅの奥まで各指が挿入される。介護者が紐状部５ａ〜５ｅを患者の手首に結び付けることにより、手指抑制具１００の装着が完了する。
【００４７】
装着された手指抑制具１００において、指装着部１ａ〜１ｅの奥まで各指が挿入されていて、かつ、紐状部５ａ〜５ｅが患者の手首に結び付けられて固着されることにより、患者が手を動かしても、手指抑制具１００が容易にはずれることがない。また、紐状部５ａ〜５ｅが例えばいわゆる蝶結びのように普通は容易にほどくことができる結び方で手首に結ばれていたとしても、障害部２が形成されていることから患者は手指による作業が抑制されており、手首に結び付けられた紐状部５ａ〜５ｅを容易にほどくことができない。なお、図１および図２に示している手指抑制具１００は、右手用であるが、同様に左手用もあり、患者の両手に手指抑制具１００を装着する。
【００４８】
次に、手指抑制具１００を装着した患者の手指による作業が抑制される理由について説明する。上述したように、障害部２は布製で柔軟性を有しており、さらに、患者の指よりも外側に延伸するように形成されている。これにより、手指抑制具１００を装着した患者がチューブ等をつかもうとした場合は、障害部２が指とチューブ等の間に介在することとなる。このように障害部２が指とチューブ等との間に介在することとなり、障害部２が邪魔をして、チューブ等をしっかりつかむことができず、患者がチューブ等を勝手にはずすことを抑制することができる。
【００４９】
また、患者の意識が朦朧としている状態では、自らの指の位置について認識することが困難であり、例えば指の先端部６ａ〜６ｅよりも延伸している障害部２を自らの指と認識してチューブ等をつかもうとする場合もある。この場合は、指ではなく、障害部２によりチューブ等をつかむこととなるため、チューブ等をつかむことは困難であり、患者が自らに接続されたチューブ等を引き抜くといった不具合を防止できる。
【００５０】
また、患者がチューブ等をつかもうとした際に、指とチューブ等との間に折りたたまれたように障害部２が介在する場合には障害部２の厚みが増すこととなるが、普段は障害部２が折りたたまれているわけではないので、障害部２の厚みが増すことがなく、手指抑制具１００の通気性が低くなることはない。
【００５１】
また、手指抑制具１００によれば、一枚の布である障害部２の一方の主面２ａに手袋４の手の平側が縫い付けられた構成であることから、容易に製造することができる。また、製造コストも抑えることができる。
【００５２】
また、手袋４の手の平側に障害部２が縫い付けられていることから、手の平側においては手袋４と障害部２とが重なっており、手の甲側に比べて厚みがある構成となる。このような構成であることから、患者が手を握る動作を行う場合に抵抗が生じることとなり、患者の手指による作業を抑制することもできる。さらに、指同士の間である指間部２ｂにも障害部２が設けられていることから、患者の手を握る動作においてさらに抵抗が生じることとなり、患者の手指による作業を抑制することもできる。なお、このような構成であっても、手袋４および障害部２は、共に通気性の高い布により構成されていることから、通気性が低下することもない。なお、手装着部３の手の平部分の全面ではなく一部に障害部２が縫い付けられている方が、手の平部分の全面に障害部２が縫い付けられるよりも通気性が高いことから、手袋４において障害部２が縫い付けられる部分は、手の平側の指装着部１ａ〜１ｅおよび手装着部３の指側寄りの部分とすることが好ましい。
【００５３】
また、障害部２は柔軟性を有することから、患者が手を動かして障害部２が患者の体の一部に触れたとしても患者が怪我をする可能性が低く、特に患者が自らの体の一部を掻いた場合にも、掻いた箇所が傷つく可能性が低い。また、顔を触れた場合に目等を傷つける可能性も低い。
【００５４】
さらに、指装着部１ａ〜１ｅは指ごとに設けられていることから、指ごとの動作は独立している。このため、例えば、介護者がリハビリのために患者の指を強制的に動かす場合でも、指ごとに当該リハビリを行うことができ、リハビリを十分に行うことができる。
【００５５】
このように、本実施形態１に係る手指抑制具１００は、患者の手および指の動きを抑制することができることから、患者が勝手にチューブ等をはずすといった不具合を防止することができ、さらに通気性がよく、装着したままでリハビリが可能であるとの効果も奏する。
【００５６】
（実施形態２）
本発明の実施形態２に係る手指抑制具の構成について図面を用いて説明する。図３は本発明の実施形態２に係る手指抑制具の構成を示す平面図である。また、図４は本発明の実施形態２に係る手指抑制具の構成を示す底面図である。
【００５７】
なお、本実施形態２に係る手指抑制具１０１において、本実施形態１に係る手指抑制具１００と同様の部材については、同一の符号を付し、説明を省略する。
【００５８】
本実施形態２に係る手指抑制具１０１は、本実施形態１に係る手指抑制具１００を変形したものであり、手指抑制具１００に新たな構成を追加したものである。具体的には、図３および図４に示すように、本実施形態２に係る手指抑制具１０１は、本実施形態１に係る手指抑制具１００において障害部２の先端付近に設けられた肉厚部２ｃと、ガイド紐３ｂと、柵固定部１１と、を備えた構成である。
【００５９】
肉厚部２ｃは、障害部２における先端部６ａ〜６ｅ付近に設けられている。具体的には障害部２において先端部６ａ〜６ｅよりも外側に延伸している部分に設けられている。肉厚部２ｃは例えば綿やウレタンやスポンジ等のクッション性を有する材料を障害部２の内部に挿入することにより構成される。また、クッション性のある材料を２の障害部２の主面に接合することにより構成してもよい。つまり、肉厚部２ｃは、障害部２の一部であって、患者が手指抑制具１０１を装着した際に指よりも外側に延伸している部分に形成された厚みを有する部分であり、クッション性を有するものである。なお、肉厚部２ｃは、少なくとも、障害部２における先端部６ａ〜６ｅ付近にあればよく、患者がチューブ等をつかむことを抑制することが可能であるような位置に配置されればよい。
【００６０】
肉厚部２ｃが設けられることにより、患者がチューブ等をつかもうとしても障害部２が指（指装着部１ａ〜１ｅ）とチューブ等の間に介在することとなり、患者は障害部２に邪魔されてチューブ等をしっかりつかむことができない。特に、肉厚部２ｃが設けられたことにより、患者は肉厚部２ｃを含む障害部２に邪魔されてチューブ等をしっかりつかむことができない。それにより、患者が勝手にチューブ等をはずすことを抑制することができる。また、肉厚部２ｃはクッション性を有していることから、例えば患者が体の一部を掻いた場合であっても、患者の体に傷を生じさせにくい。
【００６１】
また、肉厚部２ｃは厚みがあるが、患者の指や手から離れて形成されていることから、手指抑制具１０１の通気性が低下することもない。さらに、肉厚部２ｃが、患者が指を動かすリハビリの妨げになることもない。なお、肉厚部２ｃは障害部２において先端部６ａ〜６ｅよりも外側に延伸している部分に設けられることとしたが、少なくとも先端部６ａ〜６ｅよりも外側に延伸している部分に設けられていればよく、肉厚部２ｃの一部が先端部６ａ〜６ｅよりも内側の位置に設けられていてもよい。つまり、肉厚部２ｃが指装着部１ａ〜１ｅや手装着部３に重なって設けられていてもよい。なお、肉厚部２ｃを設ける位置および範囲は、手指抑制具１０１の通気性が低下しない位置および範囲とすることが好ましい。
【００６２】
ガイド紐３ｂは、手装着部３の手の甲側に設置された輪状の紐である。具体的には、輪状の紐を手装着部３の手の甲側に縫い付けることにより固着されていればよい。紐状部５ａ〜５ｅは、各指からガイド紐３ｂの内側を通って、手首に結ばれることとすればよい。例えば、患者が手首に結び付けられた紐状部５ａ〜５ｅをはずそうとして手を動かしたとしても、ガイド紐３ｂにより、紐状部５ａ〜５ｅの動きが規制される。つまり、ガイド紐３ｂで囲まれた範囲内でしか紐状部５ａ〜５ｅが動くことはない。これにより、手首に結んだ紐状部５ａ〜５ｅに緩みが生じることを抑制することができる。なお、ガイド紐３ｂは、輪状ではなく両端を有する紐を用いて、この紐の両端を手装着部３の手の甲側に縫い付ける等して固着することにより輪形状としてもよい。
【００６３】
柵固定部１１は、緩衝体１１ａおよび固定用紐１１ｂを備える。緩衝体１１ａは例えば障害部２と同様の布であって、固定用紐１１ｂよりも広い幅を有し、手の平の左右方向にわたって配置されている。なお、手の平の左右方向とは、手の平に対して略平行であり、かつ、各指に対して略垂直となる方向をいう。
【００６４】
また、緩衝体１１ａは、手袋４の手の平側において固定用紐１１ｂと一体となり配置され、障害部２に縫い付けられることにより固着されている。固定用紐１１ｂは手指抑制具１０１の手の平側において緩衝体１１ａと一体となっていて、手袋４の手の平の左右両端からそれぞれ伸びた紐である。つまり、固定用紐１１ｂは、緩衝体１１ａを介して、手袋４の手の平の左右両端にわたるように固着されている。なお、緩衝体１１ａは、固定用紐１１ｂと手袋４との間に位置し、固定用紐１１ｂが患者の手に食い込むことを抑制するものである。なお、本実施形態２においては、緩衝体１１ａは手の平の左右端にわたって配置されているが、例えば、緩衝体１１ａが小指の外側から、人差し指と親指との間にわたって配置されることとしてもよい。これにより、固定用紐１１ｂが患者の手に食い込むことをより抑制できる。
【００６５】
このような手指抑制具１０１の使用状態について説明する。手指抑制具１０１は、患者に装着した状態において、固定用紐１１ｂの両端をベッドの柵等に結び付けて使用する。なお、手指抑制具１０１を患者に装着する方法は、手指抑制具１００と同様である。
【００６６】
手指抑制具１０１を患者に装着した状態で固定用紐１１ｂをベッドの柵等に結び付けることにより、患者が手を動かすことができる範囲を制限することができる。つまり、柵から固定用紐１１ｂの長さ以上の範囲には、患者は手を持っていくことができなくなる。これにより、例えば、患者が自らに装着された酸素マスク等を勝手にはずすことを防止することができる。
【００６７】
ここで、酸素マスクは患者の口を覆うように装着されるが、酸素マスクがはずれないように固定する方法としては、酸素マスクに接続されたゴム紐等を患者の頭の後ろに引掛ける方法が一般的に用いられている。このような固定方法であることから、患者は酸素マスクをつかまずとも手で酸素マスクを押しのけることにより、容易に酸素マスクをはずすことができる。したがって、本実施形態１に係る手指抑制具１００を装着している患者であっても、酸素マスク等を勝手にはずしてしまう可能性がある。
【００６８】
しかし、本実施形態２に係る手指抑制具１０１によれば、酸素マスク等のように、つかまずに容易にはずすことができる医療器具においても、固定用紐１１ｂを柵に結び付けることにより患者が酸素マスクに触れることができないようにすることで、患者が勝手に酸素マスクをはずすことを防止することができる。なお、患者の手が酸素マスク等に届かないように、固定用紐１１ｂの長さを調節してベッドの柵等に結び付ければよい。
【００６９】
また、緩衝体１１ａが設けられていることから、患者が手を動かした際に固定用紐１１ｂが手の平等に食い込んで、患者の手を傷つけることを抑制することができる。
【００７０】
また、手指抑制具１０１では、固定用紐１１ｂが手の平の左右方向にわたるように配置されて構成されているが、固定用紐１１ｂが手の平にわたるようにせず、例えば手袋４の手の甲に相当する部分に固定用紐１１ｂを縫い付けることとしてもよい。このように固定用紐１１ｂを手袋４における手の甲に縫い付けて固定することにより、緩衝体１１ａを設けなくても、固定用紐１１ｂが手の平等に食い込んで患者の手を傷つけることを防止することができる。またこの方法により、手袋４の手の平側に縫い付けられる部材が減少することから、通気性の確保を損なうことがより抑制される。
【００７１】
本実施形態２に係る手指抑制具１０１は、患者の手および指の動きをより抑制することができることから、患者が勝手にチューブ等をはずすといった不具合を防止することができ、さらに通気性がよく、装着したままでリハビリが可能であるとの効果も奏する。
【００７２】
さらに、本実施形態２に係る手指抑制具１０１によれば、患者がつかまずともはずすことが可能な酸素マスク等の医療器具についても、患者が勝手にはずすことを防止することができるとの効果も奏する。
【００７３】
以上、本実施形態１および２に係る手指抑制具１００、１０１について説明したが、これら手指抑制具１００、１０１の柄として、例えば、アニメ等のキャラクタの柄や、犬や猫等の動物の柄や、花柄等を用いることが好ましい。これにより、患者の精神的な苦痛を和らげて、患者を癒すことができ、治療の助けとなる。
【００７４】
また、本実施形態１および２に係る手指抑制具１００、１０１では、手袋４の手の平側に障害部２が縫い付けられていることとしたが、例えば、手袋４における各指の付け根付近においては障害部２を縫い付けない部分を設けてもよい。これにより、指間部２ｂの各指の付け根付近に手の平側と手の甲側とを通じる孔が形成されることとなる。こうすることで、例えば、紐状部５ａ〜５ｅを指装着部１ａ〜１ｅに縫い付けなくても、当該孔に紐状部５ａ〜５ｅ通すことにより容易に取り付けることができる。これにより、紐状部５ａ〜５ｅの取り付けおよび取りはずしが容易となり、各紐状部５ａ〜５ｅの色を容易に変更することも可能となる。また、当該孔が形成されていることにより、リハビリの際に、介護者が当該孔に指を通すことにより、よりしっかりと患者の各指をつかむことができ、リハビリを行うことがよりしやすくなり、リハビリを十分に行うことができる。なお、指間部２ｂの各指の付け根付近に形成される上記孔は、上記方法以外で形成してもよい。例えば、障害部２や手袋４の一部を切り取ることにより孔を形成することとしてもよい。
【００７５】
なお、指間部２ｂの各指の付け根付近に形成された手の平側と手の甲側とを通じる上記孔に紐状部５ａ〜５ｅ通す際に、紐状部５ａ〜５ｅのそれぞれを一旦各指の根元で結んで、それから手首に結ぶこととしてもよい。これにより、紐状部５ａ〜５ｅが指に固定されることとなり、紐状部５ａ〜５ｅが抜けることを抑制できる。
【００７６】
また、本実施形態１、２に係る手指抑制具１００、１０１によれば、例えば患者がおむつを付けている場合には患者が勝手におむつをはずすことを抑制できる。また、患者がおむつ内に手を入れて汚物で手やシーツ等を汚すことも抑制できる。
【００７７】
また、本実施形態１、２に係る手指抑制具１００、１０１において、障害部２は柔軟性を有することから、例えば、アトピー性皮膚炎等の皮膚に炎症やかゆみ等が生じる病気の患者に装着することとしてもよい。患者が自らの体を掻いた場合にも、掻いた箇所が傷つく可能性が低いとの効果を奏する。
【００７８】
また、本実施形態１および２に係る手指抑制具１００、１０１は、すべての部材を布製とすることが望ましく、それにより洗濯することが容易であることから、衛生的である。
【００７９】
以上、本発明に係る手指抑制具について具体例を用いて説明したが、本発明は上記具体例に限定されるものではない。本発明の各部の構成等は、本発明の趣旨に沿って適宜変更可能である。
【産業上の利用可能性】
【００８０】
本発明は、点滴をされたり、カテーテルが挿入されている等、医療器具が接続された患者に用いることが有用である。
【符号の説明】
【００８１】
１ａ〜１ｅ          指装着部
２                  障害部
２ａ                主面
２ｂ                指間部
２ｃ                肉厚部
３                  手装着部
３ａ                開口部
３ｂ                ガイド紐
４                  手袋
５ａ〜５ｅ          紐状部
６ａ〜６ｅ          先端部
１１                柵固定部
１１ａ              緩衝体
１１ｂ              固定用紐
１００、１０１      手指抑制具
【図１】
2019013282.tif 000003
【図２】
2019013282.tif 000004
【図３】
2019013282.tif 000005
【図４】
2019013282.tif 000006
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
柔軟性を有する板状の障害部と、
前記障害部に接合されていて、使用者の指ごとに設けられて前記指に装着される指装着部と、を備え、
前記指装着部が前記指に装着された状態において、前記障害部は前記指装着部の先端よりも外側に延伸するように形成されている、手指抑制具。
【請求項２】
前記障害部は布状であり、互いに隣接する前記指同士の間にも形成され、
前記指装着部は、前記障害部の一方の主面に接合されて、それぞれ前記指を覆うように前記指に装着される、請求項１記載の手指抑制具。
【請求項３】
前記指装着部と一体形成される、使用者の手のうち前記指以外の部分を覆う手装着部を有し、
前記指装着部および前記手装着部は、前記指を含む使用者の手全体を覆う手袋を構成し、
前記障害部の一方の主面に前記手袋の手の平側が縫い付けられている、請求項２記載の手指抑制具。
【請求項４】
前記障害部は、前記指装着部が前記指に装着された状態において、前記手袋の手の平側が縫い付けられている部分よりも厚みを有する肉厚部を、少なくとも前記指装着部の先端よりも外側に有している、請求項３記載の手指抑制具。
【請求項５】
前記指装着部のそれぞれには、前記指装着部が前記指に装着された状態において使用者の手首に結ばれる紐状部が設けられ、
前記紐状部は前記指装着部ごとに互いに異なる色が付されている、請求項１〜４のいずれか記載の手指抑制具。
【手続補正２】
【補正対象書類名】明細書
【補正対象項目名】００１９
【補正方法】変更
【補正の内容】
【００１９】  本発明の一態様に係る手指抑制具は、柔軟性を有する板状の障害部と、前記障害部に接合されていて、使用者の指ごとに設けられて前記指に装着される指装着部と、を備え、前記指装着部が前記指に装着された状態において、前記障害部は前記指装着部の先端よりも外側に延伸するように形成されていることを特徴とする。
【手続補正３】
【補正対象書類名】明細書
【補正対象項目名】００２７
【補正方法】変更
【補正の内容】
【００２７】  また、上記手指抑制具において、前記障害部は、前記指装着部が前記指に装着された状態において、前記手袋の手の平側が縫い付けられている部分よりも厚みを有する肉厚部を、少なくとも前記指装着部の先端よりも外側に有していることとしてもよい。